(57)【特許請求の範囲】
【請求項１】
容器本体開口部に着脱自在に取り付けられる有底筒状の外栓と、該外栓の上部に上下方向にヒンジ回動可能に設けられて外栓の上部開口を開閉する内栓と、該内栓を前記外栓に閉状態に係止する係止部材とを有し、前記外栓は、その底壁を傾斜して形成するとともに、該底壁の低い方に液通孔を、高い方に空気孔をそれぞれ穿設して、該底壁から上部開口の間を液流路とし、前記内栓は、前記液通孔と前記空気孔とを上方から密閉するシール部材を備え、前記係止部材は、前記内栓の上面に往復動可能に設けられていることを特徴とする液体容器の栓体。
【発明の詳細な説明】
【０００１】
【発明の属する技術分野】
本発明は、魔法瓶等の液体容器の栓体に関する。
【０００２】
【従来の技術】
近年、水筒や魔法瓶等の液体を収納して携行される液体容器の栓体として、容器本体の開口部に栓体を装着したままで注げるようにした、いわゆる、ワンタッチ栓と呼ばれるものが広く使用されている。このワンタッチ栓は、例えば、特開平９−２１５６１０号公報に開示されているように、内筒部と外筒部とからなり、内筒部上部に形成した流出口と外筒部下部に形成した流入口とを連通した液流路を内筒部と外筒部の間に設けた栓本体と、該栓本体の上面に配されたプッシュボタンの下方への押圧により連動して上下動する弁棒と、該弁棒の先端に前記液流路の流入口を開閉するよう設けた弁体と、前記プッシュボタンと連結して、弁体の開閉と同期して前記液流路の流出口を開閉作動するフラップとで構成されている。
【０００３】
【発明が解決しようとする課題】
しかし、上述の構成では、内筒部に流出口が、外筒部に流入口がそれぞれ形成されているので、液流路の構造が複雑になり、液流路の完全な洗浄が困難であった。
【０００４】
そこで本発明は、液流路の洗浄を容易にした液体容器の栓体を提供することを目的としている。
【０００５】
【課題を解決するための手段】
上記した目的を達成するため、本発明の液体容器の栓体は、容器本体開口部に着脱自在に取り付けられる有底筒状の外栓と、該外栓の上部に上下方向にヒンジ回動可能に設けられて外栓の上部開口を開閉する内栓と、該内栓を前記外栓に閉状態に係止する係止部材とを有し、前記外栓は、その底壁を傾斜して形成するとともに、該底壁の低い方に液通孔を、高い方に空気孔をそれぞれ穿設して、該底壁から上部開口の間を液流路とし、前記内栓は、前記液通孔と前記空気孔とを上方から密閉するシール部材を備え、前記係止部材は、前記内栓の上面に往復動可能に設けられていることを特徴としている。
【０００６】
【発明の実施の形態】
以下、本発明を、図面に示す実施形態例に基づいて、さらに詳細に説明する。魔法瓶等の液体容器の栓体１は、容器本体２の開口部に着脱自在に取り付けられる外栓３と、該外栓３の上部に上下方向にヒンジ回動可能に設けられて外栓３の上部開口を開閉する内栓４と、該内栓４を前記外栓３に閉状態に係止する係止部材５とを有している。
【０００７】
前記外栓３は、有底筒状に形成された栓体部３１と、該栓体部３１を組み付けた容器本体２への取付部３２とからなり、栓体部３１を容器本体２の開口部内に挿入して、取付部３２内周に形成されたネジ部３３を容器本体２の首部外周のネジ部２１に螺合することにより容器本体２の開口部に取り付けられる。前記取付部３２の上部一側に、前記内栓４が水平方向の支軸６にて上下方向にヒンジ回動可能に取り付けられている。これにより、栓体１は、支軸６と径方向に対向する側が注ぎ口になる。
【０００８】
前記栓体部３１は、その底壁３４を支軸６側から注ぎ口側へ低くなるよう傾斜して形成され、該底壁３４の低い方に液通孔３５を、高い方に空気孔３６をそれぞれ穿設して、該底壁３４から上部開口の間を液流路３７としている。また、栓体部３１の下部外周には、外栓３を容器本体２に取り付けたときに、容器本体２の開口部内周壁下部の段部２２に密着するリング状のシール部材３８が備えられている。
【０００９】
前記内栓４は、有底筒状に形成された栓体部４１と、該栓体部４１の上部開口を覆う蓋部４２とからなり、栓体部４１は、胴部４３と底壁４４とを有し、胴部４３の外周にはシール部材取付用の溝４５が周設されている。底壁４４は、前記外栓３の底壁３４に対応して傾斜して形成されており、その下面には、前記液通孔３５と前記空気孔３６にそれぞれ対応する位置にシール部材取付用の突起４６，４７が形成されている。液通孔３５に対応する突起４６には空気抜き孔４６ａが穿設されている。また、蓋部４２にも、外部へ開口する空気抜き孔４２ａが形成されている。
【００１０】
また、前記栓体部４１には、エラストマー等の弾性体からなるシール部材７が設けられている。このシール部材７は、前記内栓４を閉じたときに、前記液通孔３５を上方から密閉する流入口シール部７１と、前記空気孔３６を上方から密閉する空気孔シール部７２と、前記外栓３の上部開口近傍内周壁に密着する流出口シール部７３とを一体に形成したもので、流入口シール部７１を前記突起４６に、空気孔シール部７２を前記突起４７にそれぞれ外嵌し、舌片７４を前記溝４５に嵌合して栓体部４１に取り付けられる。流入口シール部７１は、突起４６との間に空洞部７５を形成して設けられる。なお、本実施形態例では一体型のシール部材を用いたが、流入口シール部７１、空気孔シール部７２及び流出口シール部７３はそれぞれ別部品でもよい。
【００１１】
前記蓋部４２の上面には、前記係止部材５が設けられている。該係止部材５は、前記栓体部４１の注ぎ口側外周壁から突出して前記外栓３の取付部３２上部の注ぎ口側内周壁に形成した係合穴３９に係合する係止爪５２を有し、該係止爪５２の突出方向、すなわち、支軸６から注ぎ口方向に往復動可能に設けられ、蓋部４２の側壁との間に縮設されたコイルスプリング５１により常時注ぎ口方向へ付勢されている。また、上面には、操作部５３を隆起形成している。
【００１２】
この係止部材５は、外栓３の上部開口を内栓４で閉じた際に、係止爪５２が前記係合穴３９と係合して内栓４を閉状態に保持する。また、操作部５３を前記コイルスプリング５１の付勢力に抗して支軸６側へ動かすことにより、係止爪５２が前記栓体部４１内に引き込まれて前記係合穴３９との係合を解除する。支軸６には、内栓４を常時開方向（上方）に付勢するトーションスプリング６１が設けられ、このトーションスプリング６１の付勢力によって内栓４は上方に回動して開く。この内栓４は、図１に示されるように、支軸６を中心として閉状態から約１８０度開き、容器本体２を傾けて液体を注ぐ際には、トーションスプリング６１の付勢力によって内栓４の閉方向への回動が規制され開状態を維持する。
【００１３】
このように、栓体１は、外栓３の底壁３４から上部開口間の液流路３７を上下方向に回動する内栓４にて開閉する構成で、外栓３にシール機構や開閉作動機構がないとともに内栓４に液流路がなく、内栓４が大きく開くから、液流路３７を完全に洗浄することができる。また、内栓４が大きく開くことにより、開状態を確実に認識できる。さらに、液流路に面する部分に開閉作動機構がないから、開閉作動機構に容器本体内の液体が入ることがない。また、洗浄時に開閉作動機構に水が入ったとしても容器本体内の液体と混じることはない。しかも、流入口シール部７１及び空気孔シール部７２の弾性と、トーションスプリング６１によって内栓４を開方向へ付勢しているから、容器本体２内の圧力が外部より低い場合でも、内栓４を容易に開くことができる。
【００１４】
【発明の効果】
以上説明したように、本発明の液体容器の栓体は、容器本体開口部に着脱自在に取り付けられる有底筒状の外栓の底壁を傾斜して形成し、底壁の低い方に液通孔を、高い方に空気孔をそれぞれ穿設して、底壁から上部開口の間を液流路とし、この外栓の上部に上下方向にヒンジ回動可能に設けられて外栓の上部開口を開閉する内栓に液通孔と空気孔とを上方から密閉するシール部材を設け、内栓を外栓に閉状態に係止する係止部材を内栓の上面に往復動可能に設けたので、外栓にシール機構や開閉作動機構がないとともに内栓に液流路がないから、液流路を完全に洗浄することができる。また、液流路に面する部分に開閉作動機構がないから、開閉作動機構に容器本体内の液体が入ることがない。さらに、洗浄時に開閉作動機構に水が入ったとしても容器本体内の液体と混じることはない。
【図面の簡単な説明】
【図１】本発明の栓体を開いた状態の断面図
【図２】同じく閉じた状態の断面図
【符号の説明】
１…栓体、２…容器本体、３…外栓、３１…栓体部、３２…取付部、３４…底壁、３５…液通孔、３６…空気孔、３７…液流路、４…内栓、４１…栓体部、４３…胴部、４４…底壁、５…係止部材、６…支軸、７…シール部材、７１…流入口シール部、７２…空気孔シール部
【図１】
0003620039.tif 000002
【図２】
0003620039.tif 000003